(57)【要約】【課題】鉛蓄電池の電極表面に付着したサルフェーションをより確実に除去して、鉛蓄電池の長寿命化を図る。【解決手段】鉛蓄電池１０の電極１２に付着したサルフェーションＳｕを除去する鉛蓄電池再生装置１００であって、電極に放電パルス電流Ｉｐを供給するパルス電流供給部１０２と、鉛蓄電池の放電時に少なくとも放電パルス電流の電流値Ｉ、パルス幅Ｔ１、及びパルス間隔Ｔ２を調整し、当該放電パルス電流が所定の大きさ以上の大パルスエネルギーを発生させるようにパルス電流供給部を制御する制御部１０４とを備えることを特徴とする。【選択図】図１
2015215976.tif 000002
【特許請求の範囲】
【請求項１】
鉛蓄電池の電極に付着したサルフェーションを除去する鉛蓄電池再生装置であって、
前記電極に放電パルス電流を供給するパルス電流供給部と、
前記鉛蓄電池の放電時に少なくとも前記放電パルス電流の電流値、パルス幅、及びパルス間隔を調整し、該放電パルス電流が所定の大きさ以上の大パルスエネルギーを発生させるように前記放電パルス電流供給部を制御する制御部とを備えることを特徴とする鉛蓄電池再生装置。
【請求項２】
前記制御部は、前記放電パルス電流の前記電流値、前記パルス幅、及び前記パルス間隔を調整し、該放電パルス電流が少なくとも１ワット以上の大パルスエネルギーを発生させるように前記パルス電流供給部を制御することを特徴とする請求項１に記載の鉛蓄電池再生装置。
【請求項３】
前記制御部は、前記放電パルス電流の前記電流値を少なくとも４０アンペア以上に、かつ前記パルス幅及び前記パルス間隔を調整して、該放電パルス電流が少なくとも１．７ワット以上の大パルスエネルギーを発生させるように前記パルス電流供給部を制御することを特徴とする請求項２に記載の鉛蓄電池再生装置。
【請求項４】
前記制御部は、前記電流値が少なくとも２００アンペア以上となるように前記パルス電流供給部を制御することを特徴とする請求項１乃至請求項３の何れか1項に記載の鉛蓄電池再生装置。
【発明の詳細な説明】
【技術分野】
【０００１】
本発明は、鉛蓄電池の電極に付着した硫酸鉛の不導体皮膜を除去して鉛蓄電池の長寿命化を図る鉛蓄電池再生装置に関する。
【背景技術】
【０００２】
充電及び放電を繰り返し行うことが可能な二次電池のうち、鉛蓄電池は、比較的安価で安定した性能を有するため、自動車、船舶、建設機械等のバッテリや、産業用としての商用電源、住宅用電源が途絶えた時の非常用電源等として幅広く使用されている。しかしながら、鉛蓄電池は、鉛蓄電池の充電と放電を繰り返すことによって、電解液中の硫酸と電極板の鉛が化学反応により、負極表面において、結晶化した硫酸鉛（ＰｂＳＯ４）の不導体皮膜となって電極板に付着するようになる（サルフェーション）。
【０００３】
サルフェーションにより形成された不導体皮膜は、放電条件や放置されるときの周囲温度の上下、振動等によって電極表面で成長して白色硬化することにより、実効的な電極表面積を減少させる。不導体被膜は、鉛蓄電池の内部抵抗を増大させ、充電容量を大幅に減少させるので、バッテリ性能を著しく低下させる。このような硫酸鉛の不導体皮膜を除去する方法として、鉛蓄電池の電極にパルス電流を流して電極とその表面に成長した硫酸鉛皮膜との間に電撃ショックを与えることによって、サルフェーションを電極から物理的に剥離する方法が特許文献１及び特許文献２に開示されている。
【先行技術文献】
【特許文献】
【０００４】
【特許文献１】特許３９０２２１２号公報
【特許文献２】特開２０１１−７１００１号公報
【発明の概要】
【発明が解決しようとする課題】
【０００５】
サルフェーションは、鉛蓄電池の放電によって生成する硫酸鉛が負極板上に析出し、次第に成長して白色硬化した不導体皮膜を形成する現象であり、放電条件や当該鉛蓄電池が放置されるときの周囲温度、振動等の諸条件によって影響される。このため、当該諸条件によっては、パルス電流を印加しても、鉛蓄電池を再生できない場合があった。特許文献１及び特許文献２に開示された再生方法は、パルス電流の印加による電極の発熱による悪影響等を考慮して、何れも０．０１〜０．１０Ａ程度の微弱なパルス電流を電極に印加している。このため、サルフェーションの程度の軽い場合では、鉛蓄電池の再生が可能であるが、サルフェーションの程度によっては、鉛蓄電池を再生できない場合があった。
【０００６】
本発明は、上記課題に鑑みてなされたものであり、鉛蓄電池の電極に付着したサルフェーションをより確実に除去して、鉛蓄電池の長寿命化を図ることの可能な、新規かつ改良された鉛蓄電池再生装置を提供することを目的とする。
【課題を解決するための手段】
【０００７】
本発明の一態様は、鉛蓄電池の電極に付着したサルフェーションを除去する鉛蓄電池再生装置であって、前記電極に放電パルス電流を供給するパルス電流供給部と、前記鉛蓄電池の放電時に少なくとも前記放電パルス電流の電流値、パルス幅、及びパルス間隔を調整し、該パルス電流が所定の大きさ以上の大パルスエネルギーを発生させるように前記パルス電流供給部を制御する制御部とを備えることを特徴とする。
【０００８】
本発明の一態様によれば、鉛蓄電池の放電時にパルス電流供給部から所定の大きさ以上の大パルスエネルギーを発生させる放電パルス電流を電極に印加することによって、電極表面に形成されたサルフェーションを電極の内側からより確実に破壊できる。
【０００９】
このとき、本発明の一態様では、前記制御部は、前記放電パルス電流の前記電流値、前記パルス幅、及び前記パルス間隔を調整し、該放電パルス電流が少なくとも１ワット以上の大パルスエネルギーを発生させるように前記パルス電流供給部を制御することとしてもよい。
【００１０】
このような条件で放電パルス電流を電極に印加することによって、電極表面に形成されたサルフェーションを電極の内側からより確実に破壊できる。
【００１１】
また、本発明の一態様では、前記制御部は、前記放電パルス電流の前記電流値を少なくとも４０アンペア以上に、かつ前記パルス幅及び前記パルス間隔を調整して、該放電パルス電流が少なくとも１．７ワット以上の大パルスエネルギーを発生させるように前記パルス電流供給部を制御することとしてもよい。
【００１２】
このように、少なくとも４０アンペア以上の放電パルス電流を１．７ワット以上の大パルスエネルギーを発生させるように電極に印加することによって、電極表面に形成されたサルフェーションを電極の内側からより確実に破壊できる。
【００１３】
また、本発明の一態様では、前記制御部は、前記電流値が少なくとも２００アンペア以上となるように前記パルス電流供給部を制御することとしてもよい。
【００１４】
このようにすれば、電極表面に形成されたサルフェーションを電極の内側からより確実に破壊できる。
【発明の効果】
【００１５】
以上説明したように本発明によれば、鉛蓄電池の電極表面に付着したサルフェーションがより確実に除去されるようになる。このため、鉛蓄電池の長寿命化を効率よく確実に図れるようになる。
【図面の簡単な説明】
【００１６】
【図１】本発明の一実施形態に係る鉛蓄電池再生装置の概略構成を示すブロック図である。
【図２】本発明の一実施形態に係る鉛蓄電池再生装置から印加される放電パルス電流のパルス波形図である。
【図３】（ａ）乃至（ｃ）は、本発明の一実施形態に係る鉛蓄電池再生装置によるサルフェーション除去の動作説明図である。
【図４】本発明の一実施形態に係る鉛蓄電池再生装置による入力大パルスエネルギーと鉛蓄電池の寿命との関係を示すグラフである。
【発明を実施するための形態】
【００１７】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００１８】
まず、本発明の一実施形態に係る鉛蓄電池再生装置の概略構成について、図面を使用しながら説明する。図１は、本発明の一実施形態に係る鉛蓄電池再生装置の概略構成を示すブロック図である。
【００１９】
本発明の一実施形態に係る鉛蓄電池再生装置１００は、鉛蓄電池１０の電極１２に向けてパルス電流を流すことによって、当該電極１２（１２ａ、１２ｂ）の表面に付着した硫酸鉛層であるサルフェーションを除去して、当該鉛蓄電池１０の長寿命化を図る装置である。本実施形態の鉛蓄電池再生装置１００は、図１に示すように、電極１２にパルス電流を供給するパルス電流供給部１０２と、当該パルス電流供給部１０２を制御する制御部１０４とを備える。
【００２０】
パルス電流供給部１０２は、例えば、図２に示すようなパルス波形を有する放電パルス電流を電極１２に供給する。パルス電流供給部１０２は、例えば、不図示の発振器及びパルス電流発生器から構成され、当該発振器から出力された信号波により、パルス電流発生器に備わるＭＯＳＦＥＴ等の電子スイッチを駆動させて、図２示すように、所定の大きさの電流値Ｉと周期Ｔのパルス波形を有する放電パルス電流Ｉｐを発生させる。そして、パルス電流供給部１０２は、当該放電パルス電流Ｉｐを鉛蓄電池１０の接続端子１５（１５ａ、１５ｂ）を介して電極１２（１２ａ、１２ｂ）に印加する。なお、印加する放電パルス電流Ｉｐは、周期的に電流値が変動するような所定の周期を有する交流電流であればよいので、その波形は、図２に示す矩形波以外にも、正弦波、三角波、鋸歯状波等の他の波形形状でも適用可能である。
【００２１】
制御部１０４は、鉛蓄電池再生装置１００に備わる各種構成要素等を制御する。本実施形態では、制御部１０４は、鉛蓄電池１０の放電時に少なくとも放電パルス電流Ｉｐの電流値Ｉ、パルス幅Ｔ１、及びパルス間隔Ｔ２を調整し、当該パルス電流Ｉｐが所定の大きさ以上の大パルスエネルギーを発生させるようにパルス電流供給部１０２を制御することを特徴とする。
【００２２】
なお、ここで言及する「大パルスエネルギー」とは、卵の殻がある一定値以上の運動量を加えることによって、破壊できるのと同様に、ある閾値以上の放電エネルギーを電池に投入させる単位時間当たりのエネルギー量を意味する。すなわち、本発明者は、従来から行われているような微少パルスエネルギーでは、決して得られない非線形現象によってサルフェーションを除去できることと、サルフェーション除去が充電電流ではなく、放電パルス電流によって可能になることを発見し、それを実現する装置として本発明の創作に至った。
【００２３】
ここで「パルス幅Ｔ１」とは、図２に示すパルス電流Ｉｐの時間幅をいい、「パルス間隔Ｔ２」とは、図２に示す放電パルス電流Ｉｐの時間間隔をいう。すなわち、パルス幅Ｔ１とハルス間隔Ｔ２の和がパルス電流の周期Ｔとなる。また、本明細書中で「大パルスエネルギー」とは、放電パルス電流Ｉｐにより生成される少なくとも１ワット以上の大きさを有する単位時間当たりに変換・使用・消費されるエネルギーをいうものとし、放電パルス電流Ｉｐの電流値Ｉ、パルス幅Ｔ１、及びパルス間隔Ｔ２を用いて、下記の式（１）により算出される。なお、制御部１０４による放電パルス電流Ｉｐの制御の詳細については、後述する。
（大パルスエネルギー）＝Ｉ２×Ｔ１／Ｔ２・・・・・・・・・・・・・・・（１）
【００２４】
鉛蓄電池１０は、ケーシング１１内に電極１２として所定の位置に配置された相対向する正極１２ａ及び負極１２ｂがセパレータ１４を介して隔てて設けられ、これら正極１２ａ、負極１２ｂが十分に浸漬されるように、希硫酸（Ｈ２ＳＯ４）を主成分とする電解液１３が充填されている。正極１２ａは、少なくともその表面に活物質として機能する多孔質の二酸化鉛から構成され、負極１２ｂは、少なくともその表面が活物質として機能する多孔質の鉛から構成されている。また、ケーシング１１は、希硫酸に対する耐腐食性を有する樹脂等で形成される。
【００２５】
前述した構成の鉛蓄電池１０は、下記の反応式（２）及び（３）に従って放電され、下記の反応式（４）及び（５）に従って充電される。すなわち、正極１２ａ、負極１２ｂの双方から電解液１３中に硫酸イオンが移動することによって充電され、電解液１３中の硫酸イオンが正極１２ａ、負極１２ｂの双方に移動することによって放電が行われる。
（放電時）
正極：ＰｂＯ２ ＋ ４Ｈ＋ ＋ ＳＯ４２− ＋ ２e− 
→ ＰｂＳＯ４ ＋ ２Ｈ２Ｏ・・・ （２）
負極：Ｐｂ ＋ ＳＯ４２− → ＰｂＳＯ４ ＋ ２ｅ−・・・・・・・・・・  （３）
（充電時）
正極：ＰｂＳＯ４ ＋ ２Ｈ２Ｏ 
→ ＰｂＯ２ ＋ ４Ｈ＋ ＋ ＳＯ４２− ＋ ２e−・・・（４）
負極：ＰｂＳＯ４ ＋ ２e− → Ｐｂ ＋ ＳＯ４２−・・・・・・・・・・・ （５）
【００２６】
前述したように、放電及び充電を繰り返したり、経時的な自然放電状態、自己放電状態が所定期間継続されると、化学反応によって正極１２ａ及び負極１２ｂの表面に硫酸鉛（ＰｂＳＯ４）が結晶化されたサルフェーションが析出される。特に、鉛蓄電池１０の放電時に析出されたサルフェーションが長期間放置されると、結晶化されたサルフェーションが硬質化し、再び充電しても電解液に戻らなくなってしまい、鉛蓄電池１０の内部抵抗の増大や、充電効率の低下、蓄電能力の低下及び放電パワーの低下を誘発し、バッテリ性能を著しく低下させる。
【００２７】
本実施形態では、鉛蓄電池再生装置１００は、電極１２に付着したサルフェーションを除去するために、電極１２に所定の大きさ以上の大電流となるような放電パルス電流Ｉｐを印加することを特徴とする。本発明者は、前述した本発明の目的を達成するために鋭意検討を重ねた結果、鉛蓄電池１０の放電時に所定の大きさ以上の大パルスエネルギーを発生させる放電パルス電流Ｉｐを電極１２に印加することによって、サルフェーションを確実に除去して、鉛蓄電池１０の長寿命化を図れることを見出した。また、鉛蓄電池１０の放電パルス電流Ｉｐを印加する際に、放電パルス電流Ｉｐの電流値Ｉ、パルス幅Ｔ１、及びパルス間隔Ｔ２を調整し、当該放電パルス電流Ｉｐが所定の大きさ以上の大パルスエネルギーを発生させることが必要である旨を見出した。
【００２８】
具体的には、鉛蓄電池再生装置１００は、制御部１０４が放電パルス電流Ｉｐの電流値Ｉ、パルス幅Ｔ１、及びパルス間隔Ｔ２を調整して、放電パルス電流Ｉｐが少なくとも１ワット以上の大パルスエネルギーを発生させるようにパルス電流供給部１０２を制御する。例えば、電池容量６０Ｖ１２Ａｈの鉛電池を使用した場合では、１時間当たりの放電パルスエネルギーとして、６０×１２×３６００＝２５９２（ＫＪ）から約２０００ｋＪ以上を発生させることが有効であることがわかった。
【００２９】
また、その際に、放電パルス電流Ｉｐの電流値Ｉを少なくとも４０アンペア以上とした上でパルス幅Ｔ１及びパルス間隔Ｔ２を調整して、当該放電パルス電流Ｉｐが少なくとも１．７ワット以上の大パルスエネルギーを発生させるようにパルス電流供給部１０２を制御することが好ましいことがわかった。特に、放電パルス電流Ｉｐの電流値Ｉが少なくとも２００アンペア以上となるような大パルス電流を電極１２に印加するように、制御部１０４がパルス電流供給部１０２を制御すると、当該大パルス電流の衝撃によって硬質化したサルフェーションが効果的に内側から破壊され、電極１２の表面に付着したサルフェーションが確実に除去されるようになることがわかった。
【００３０】
前述したように、従来では、電極１２に付着したサルフェーションを除去するために印加するパルス電流は、０．０１〜０．１０Ａ程度の微弱なパルス電流のものが多かった。このため、鉛蓄電池１０の使用条件やサルフェーションの進行程度によっては、サルフェーションが十分に除去されずに、鉛蓄電池１０を再生できない場合があった。これに対して本実施形態では、鉛蓄電池１０に放電パルス電流として、当該鉛蓄電池１０の蓄積エネルギーの２００００分の１以上のパルスエネルギーの放電パルス電流を電極１２に繰り返し印加して、電極１２、特にサルフェーションによる劣化が顕著にみられる負極１２ｂの活性化を行って、サルフェーションを除去するようにしている。
【００３１】
このように、本実施形態では、鉛蓄電池１０の放電時に所定の大きさ以上の放電パルス電流を電極１２に印加して、サルフェーションを除去して、バッテリ性能を向上させて鉛蓄電池１０の長寿命化を図っている。すなわち、鉛蓄電池１０の放電時に電極１２に所定の大きさ以上のエネルギーを持つ放電パルス電流Ｉｐを印加して、その大パルスエネルギーを発生させることによって、より大きな衝撃を電極１２に与えられるので、当該電極１２の表面の活性化を図ってサルフェーションをより確実に除去できるようになる。
【００３２】
次に、本発明の一実施形態に係る鉛蓄電池再生装置１００によるサルフェーション除去の動作について、図面を使用しながら説明する。図３（ａ）乃至（ｃ）は、本発明の一実施形態に係る鉛蓄電池再生装置１００によるサルフェーション除去の動作説明図である。
【００３３】
図３（ａ）に示すように、鉛蓄電池１０の放電時に電極１２の表面１２ｃに非伝導性の硫酸鉛の結晶皮膜であるサルフェーションＳｕが発生する。サルフェーションＳｕは、発生時点では、極めて柔らかい物質であるため、柔軟な態様で電極１２の表面１２ｃに付着している。このように、サルフェーションＳｕが柔らかい段階で充電を開始すれば、理論上は、かかるサルフェーションＳｕが電解液１３に溶解して、硬質化したサルフェーションＳｕが電極１２の表面１２ｃに付着しない。
【００３４】
しかしながら、鉛蓄電池１０の放電と充電を繰り返すことによって、図３（ｂ）に示すように、電極１２の表面１２ｃに付着したサルフェーションＳｕが硬質化して、電極１２の表面１２ｃを被覆してしまう。特に、鉛蓄電池１０に析出されたサルフェーションＳｕが自己放電状態で長期間放置されると、結晶化されたサルフェーションＳｕが著しく硬質化し、再び充電しても電解液１３に戻らなくなってしまう。
【００３５】
このため、本実施形態では、図３（ｃ）に示すように、サルフェーションＳｕが電極１２の表面１２ｃに析出される放電時のタイミングに、定期的に所定の大きさ以上の大パルスエネルギーを発生させる放電パルス電流Ｉｐを電極１２に印加して、電極１２の表面１２ｃに付着したサルフェーションＳｕを当該表面１２ｃから浮遊させるようにしている。このとき、電極１２に印加する放電パルス電流Ｉｐを所定の大きさ以上の大パルスエネルギーを発生させるように、大きな放電パルス電流Ｉｐを強引に印加するので、サルフェーションＳｕが進行して著しく硬質化した場合でも、大パルス電流Ｉｐの衝撃によって当該硬質化したサルフェーションＳｕを内側から破壊して、電極１２の表面１２ｃから確実に除去することができる。
【００３６】
すなわち、鉛蓄電池１０の放電時に所定の大きさ以上の大パルスエネルギーを発生させるような大きさの放電パルス電流Ｉｐを電極１２に印加することによって、硬質化したサルフェーションＳｕを容易に破壊して除去することができる。このため、硬質化したサルフェーションＳｕによる電極１２の劣化を解消して、鉛蓄電池１０がより確実にバッテリ性能を回復させることができるので、鉛蓄電池１０の長寿命化が図れるようになる。
【実施例】
【００３７】
次に、前述した本発明の一実施形態における効果を実証する実験結果について説明する。  本実施例では、本発明の一実施形態に係る鉛蓄電池再生装置１００で試験体となる鉛蓄電池１０の電極１２に印加する放電パルス電流Ｉｐの電流値Ｉ、パルス幅ｄｔ（Ｔ１）、パルス間隔ｔ（Ｔ２）を調整して、大パルスエネルギーを変えた場合における寿命サイクルをカウントした。そして、放電パルス電流Ｉｐの電流値Ｉ、パルス幅ｄｔ（Ｔ１）、パルス間隔ｔ（Ｔ２）、及び大パルスエネルギーを変えた場合における寿命サイクルの変化を調べて、パルス電流の印加による鉛蓄電池１０の延命効果を確認した。なお、本発明は、本実施例に限定されるものではない。
【００３８】
本実施例では、試験体となる鉛蓄電池１０として、製品が三菱電機（株）製の三菱ＦＷ−ＶＢＴ−２．０Ｋ、電池容量が１２Ｖ１２Ａｈのもの５つを使用して、本発明の一実施形態に係る鉛蓄電池再生装置１００を取り付けて試験を行った。また、本実施例における鉛蓄電池１０の充電・放電のサイクルは、充電が２時間、放電が４時間の計６時間を１サイクルとして、かかるサイクルを１日あたり４回行って、寿命サイクルをカウントした。なお、本実施例における「寿命サイクル」とは、前述した鉛蓄電池１０の充電・放電のサイクルの繰り返し可能な回数をカウントしたものである。
【００３９】
本実施例における各試験体Ｖ１乃至Ｖ１５の試験結果を下記の表１に示す。試験体Ｖ１乃至Ｖ８は、放電パルス電流の電流値を４０アンペアとした場合、試験体Ｖ９乃至Ｖ１２は、放電パルス電流の電流値を２００アンペアとした場合、試験体Ｖ１３は、パルス電流の電流値を１０アンペアとした場合、試験体Ｖ１４及びＶ１５は、放電パルス電流の印加をしない場合の鉛蓄電池１０であり、これらの試験体Ｖ１乃至Ｖ１５の寿命サイクルをカウントした。また、放電パルス電流を印加した試験体Ｖ１乃至Ｖ１３の延命効果の指標として、放電パルス電流を印加しない場合の試験体Ｖ１４及びＶ１５の寿命サイクルの平均値３９３に対する各試験体Ｖ１乃至Ｖ１３の寿命サイクルの比を求めて、かかる比を「延命倍率」と定義した。
【００４０】
また、本実施例における各試験体Ｖ１乃至Ｖ１３の入力大パルスエネルギーと寿命サイクル数の関係を図４に示す。なお、図４に示すＮｍａｘは、放電パルス電流の印加をしない場合の試験体の寿命サイクルの最大値であり、Ｎｍｉｎは、放電パルス電流の印加をしない場合の試験体の寿命サイクルの最小値を示す。
【００４１】
【表１】
2015215976.tif 000003
【００４２】
表１に示すように、試験体Ｖ１、Ｖ４、Ｖ６、Ｖ７、Ｖ９乃至Ｖ１２の試験結果より、少なくとも１ワット以上の大パルスエネルギーを発生させるように放電パルス電流を電極１２に印加した場合に、延命倍率が１倍より大きくなることから、鉛蓄電池１０の長寿命化が図れることが分かる。特に、試験体Ｖ６、Ｖ７、Ｖ９乃至Ｖ１２の試験結果より、放電パルス電流の電流値を少なくとも４０アンペア以上として、かつパルス幅及びパルス間隔を調整して、少なくとも１．７ワット以上の大パルスエネルギーを発生させるような放電パルス電流を電極１２に印加した場合に、延命倍率が１．３５倍以上と大幅に大きくなることが分かる。
【００４３】
すなわち、放電パルス電流の電流値を少なくとも４０アンペア以上として、かつパルス幅及びパルス間隔を調整して、少なくとも１．７ワット以上の大パルスエネルギーを発生させるような放電パルス電流を電極１２に印加すると、図４に示すように、高い寿命サイクル数が確保され、鉛蓄電池１０の長寿命化が確実に図れることが分かる。これは、所定の大きさ以上の大パルスエネルギーを発生させるような放電パルス電流を電極１２に印加することによって、当該電極１２の表面１２ｃに付着したサルフェーションＳｕに大きな衝撃を与えられるので、より確実に当該サルフェーションＳｕを内側から破壊して、電極１２の表面１２ｃから除去できることがその理由として考えられる。
【００４４】
また、試験体Ｖ９乃至Ｖ１２の試験結果より、電極１２に印加する放電パルス電流の電流値を２００アンペアとした場合に、何れも延命倍率が１．３５倍以上と大幅に大きくなることから、鉛蓄電池１０の長寿命化が確実に図れることが分かる。これは、電極１２に印加する放電パルス電流の電流値を２００アンペアと大きくした場合、より大きな衝撃を電極１２の表面１２ｃに硬質化して付着したサルフェーションＳｕに与えられることから、より確実に当該サルフェーションＳｕを内側から破壊できることがその理由として考えられる。なお、２００アンペア以上の放電パルス電流を印加しても、鉛蓄電池１０の放電時のタイミングに印加するので、当該パルス電流による大パルスエネルギーを発生させても、当該電極１２の発熱による悪影響も特に見られなかった。
【００４５】
さらに、試験体Ｖ１乃至Ｖ８の試験結果より、電極１２に印加する放電パルス電流の電流値を４０アンペアとした場合でも、試験体Ｖ６及びＶ７のように、パルス幅を１．００秒と大きくした場合では、何れも１．４倍以上の高い延命倍率が確保され、鉛蓄電池１０の長寿命化が確実に図れることが分かる。これは、電極１２に印加する放電パルス電流の電流値を少なくとも４０アンペア以上にして、かつパルス幅を１．００秒と大きな値とすることにより、電極１２の表面１２ｃに硬質化して付着したサルフェーションＳｕを確実に破壊できる程度の大パルスエネルギーが確保されることがその理由として考えられる。ただし、試験体Ｖ８の試験結果より、パルス幅を１．００秒と大きくしても、パルス間隔が３６００秒と大きい場合には、サルフェーションＳｕを確実に破壊できる程度の大パルスエネルギーが確保されないので、延命倍率が１．０３倍と若干の延命効果が見られるものの、大幅な延命効果が見られなかった。
【００４６】
また、前述した式（１）に示すように、大パルスエネルギーは、電流値の２乗とパルス幅に比例し、パルス間隔に反比例することから、大パルスエネルギーの値は、パルス幅とパルス間隔の値よりも、電流値の値による変動の影響が大きい。このことから、鉛蓄電池１０の長寿命化を図るためには、鉛蓄電池再生装置１００から印加する放電パルス電流の電流値を少なくとも４０アンペア以上の大電流値とすることが好ましいことが分かる。
【００４７】
なお、上記のように本発明の各実施形態及び各実施例について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００４８】
例えば、明細書又は図面において、少なくとも一度、より広義又は同義な異なる用語と共に記載された用語は、明細書又は図面のいかなる箇所においても、その異なる用語に置き換えることができる。また、鉛蓄電池再生装置の構成、動作も本発明の各実施形態で説明したものに限定されず、種々の変形実施が可能である。
【符号の説明】
【００４９】
１０  鉛蓄電池、１１  ケーシング、１２  電極、１２ａ  正極、１２ｂ  負極、１２ｃ  表面、１３  電解液、１４  セパレータ、１５  端子、１００  鉛蓄電池再生装置、１０２  パルス電流供給部、１０４  制御部、Ｓｕ  サルフェーション、Ｉｐ  放電パルス電流、Ｉ  電流値、Ｔ１  パルス幅、Ｔ２  パルス間隔
【図１】
2015215976.tif 000004
【図２】
2015215976.tif 000005
【図３】
2015215976.tif 000006
【図４】
2015215976.tif 000007